(57)【要約】【課題】読取処理が終了するまでの時間が長くなることない読取装置を提供することを目的とする。【解決手段】設定された読取設定に基づいて搬送及び表面読取部３及び裏面読取部４による読取が実行され、読み取られて生成された画像データをＲＡＭ１３３に記憶する（Ｓ２０４）。読み取り生成した両面の画像データを記憶するＲＡＭ１３３の空き容量が不足しているか否かを判断し、ここで、ＲＡＭ１３３の空き容量が不足していると判断した場合（Ｓ２０５：Ｙｅｓ）、両面読取続行処理が実行される（Ｓ２０６）。【選択図】図５
2010232770.tif 000002
【特許請求の範囲】
【請求項１】
原稿を給紙部から排紙部へ搬送する搬送部と、
前記搬送部により搬送する原稿を読み取ることで画像データを生成する読取部と、
前記画像データを記憶する記憶部と、
前記搬送部による原稿の搬送中において、前記記憶部の空き容量が所定値より小さいことに応じて、前記原稿に基づく画像データのデータ量を空き容量よりも低減する低減部と、
を備えることを特徴とする読取装置。
【請求項２】
請求項１に記載の読取装置において、
前記読取部は原稿の両面を読み取り可能であり、
前記低減部は、前記原稿に基づく両面の内いずれか一面の画像データのデータ量を、空き容量から他面の画像データのデータ量を減じた値よりも低減することを特徴とする読取装置。
【請求項３】
請求項２に記載の読取装置において、
前記原稿に設けられており、両面の内どちらの面に対して低減部による前記低減を優先的に実行するか否かを示すフラグを検知する検知部を備え、
前記低減部は、前記検知部によるフラグの検知に応じて、前記優先的に実行すると示された面に対して前記低減することを特徴とする読取装置。
【請求項４】
請求項１から請求項３のいずれか一つに記載の読取装置において、
前記搬送部により給紙部に載置される複数枚の原稿を排紙部へ搬送し終えたことに応じて、前記低減部にて前記データ量を所定値より低減した対象の原稿を示す通知情報を通知する通知部を備えることを特徴とする読取装置。
【請求項５】
請求項４に記載の読取装置において、
用紙に画像を印刷する印刷部を備え、
前記通知部は、前記印刷部により前記通知情報を用紙に印刷することで通知することを特徴とする読取装置。
【請求項６】
請求項１から請求項５のいずれか一つに記載の読取装置において、
前記低減部は、前記読取部により原稿を読み取らないことで前記低減をすることを特徴とする読取装置。
【請求項７】
請求項１から請求項６に記載の読取装置において、
前記低減部は、前記記憶部の空き容量の大きさに応じて、前記データ量を低減する大きさを変えることを特徴とする読取装置。
【請求項８】
請求項１から請求項７のいずれか一つに記載の読取装置において、
前記低減部による前記低減を実行するか否かを選択可能な選択部を備えることを特徴とする読取装置。
【発明の詳細な説明】
【技術分野】
【０００１】
本発明は、原稿の読み取りを実行可能な読取装置に関する。
【背景技術】
【０００２】
従来より、読取動作の際、記憶手段が画像データで一杯になり読取動作が停止することを防止するために、記憶手段のデータ容量に応じて読取速度を所定の速度に切り替える画像読取装置に関する技術が開示されている。
【先行技術文献】
【特許文献】
【０００３】
【特許文献１】特開平１１−２８９４２７号公報
【発明の概要】
【発明が解決しようとする課題】
【０００４】
しかしながら、上記文献の技術では、記憶部の容量に応じて読み取り速度が変化するため、記憶部に十分な空き容量がある場合に比べ記憶部の空き容量が少ない場合、読取動作が終了するまでの時間が長くなる可能性がある。
【０００５】
従って、この様に動作する上記文献の技術では、例えば、実行している読取動作とは別の読取動作を実行したいユーザがいる場合、実行している読取動作によって読取装置が占有される時間が長くなるため、そのユーザにとって不便である等、読取装置を早く解放する様に構成することには効果がある。
【０００６】
本発明は、読取処理が終了するまでの時間が長くなることない読取装置を提供することを目的とする。
【課題を解決するための手段】
【０００７】
この目的を達成するために、請求項１に記載の読取装置は、原稿を給紙部から排紙部へ搬送する搬送部と、前記搬送部により搬送する原稿を読み取ることで画像データを生成する読取部と、前記画像データを記憶する記憶部と、前記搬送部による原稿の搬送中において、前記記憶部の空き容量が所定値より小さいことに応じて、前記原稿に基づく画像データのデータ量を空き容量よりも低減する低減部と、を備えることを特徴とする。
【０００８】
また、請求項２に記載の読取装置は、請求項１に記載の読取装置において、前記読取部は原稿の両面を読み取り可能であり、前記低減部は、前記原稿に基づく両面の内いずれか一面の画像データのデータ量を、空き容量から他面の画像データのデータ量を減じた値よりも低減することを特徴とする。
【０００９】
また、請求項３に記載の読取装置は、請求項２に記載の読取装置において、前記原稿に設けられており、両面の内どちらの面に対して低減部による前記低減を優先的に実行するか否かを示すフラグを検知する検知部を備え、前記低減部は、前記検知部によるフラグの検知に応じて、前記優先的に実行すると示された面に対して前記低減することを特徴とする。
【００１０】
また、請求項４に記載の読取装置は、請求項１から請求項３のいずれか一つに記載の読取装置において、前記搬送部により給紙部に載置される複数枚の原稿を排紙部へ搬送し終えたことに応じて、前記低減部にて前記データ量を所定値より低減した対象の原稿を示す
通知情報を通知する通知部を備えることを特徴とする。
【００１１】
また、請求項５に記載の読取装置は、請求項４に記載の読取装置において、用紙に画像を形成する印刷部を備え、前記通知部は、前記印刷部により前記通知情報を用紙に印刷することで通知することを特徴とする。
【００１２】
また、請求項６に記載の読取装置は、請求項１から請求項５のいずれか一つに記載の読取装置において、前記低減部は、前記読取部により原稿を読み取らないことで前記低減をすることを特徴とする。
【００１３】
また、請求項７に記載の読取装置は、請求項１から請求項６に記載の読取装置において、前記低減部は、前記記憶部の空き容量の大きさに応じて、前記データ量を低減する大きさを変えることを特徴とする。
【００１４】
また、請求項８に記載の読取装置は、請求項１から請求項７のいずれか一つに記載の読取装置において、前記低減部による前記低減を実行するか否かを選択可能な選択部を備えることを特徴とする。
【発明の効果】
【００１５】
＜請求項１の発明＞
記憶部の空き容量が所定値より小さいことで、画像データのデータ量を空き容量より小さくすることで、搬送部による原稿の搬送は継続する。従って、読取処理が終了するまでの時間が長くなることない。
【００１６】
＜請求項２の発明＞
片面のみに対してデータ量を低減することで、両面原稿の片面だけでも適切に読み取ることが可能である。
【００１７】
＜請求項３の発明＞
両面原稿に設けられているフラグに応じていずれか一面に優先的に低減部による低減が実行されることで、予め原稿に定められている読取方法にて読取が実行可能である。
【００１８】
＜請求項４の発明＞
給紙部に載置されている複数枚の原稿を搬送後に、データ量を低減した対象の原稿を示す通知情報を通知することで、ユーザはどの原稿がデータ量を低減されたのか把握可能である。
【００１９】
＜請求項５の発明＞
印刷部により通知情報を印刷することで、通知情報が印刷物として生成される。従って、ユーザにより通知情報を確認する前に通知情報が消去される可能性が低くなるため、ユーザは通知情報を把握しやすくなる。
【００２０】
＜請求項６の発明＞
読取部によって原稿が読み取られないため、前記原稿に基づく画像データをゼロにすることが可能である。
【００２１】
＜請求項７の発明＞
記憶部の空き容量の大きさに応じて、データ量を低減する大きさを変えることで、なるべく読取のデータ量を低減することなく画像データを記憶部に記憶することが可能である。
【００２２】
＜請求項８の発明＞
選択部による低減部による低減の選択が可能であることで、ユーザの要望に答えた読取処理が可能である。
【図面の簡単な説明】
【００２３】
【図１】図１はＭＦＰの全体構成を示す模式図である。
【図２】図２は画像読取部の構造を示す概略構成図である
【図３】図３はＭＦＰの電気的構成を示す図である。
【図４】図４は読取処理を表すフローチャートである。
【図５】図５は両面読取処理を表すフローチャートである。
【図６】図６は両面読取続行処理を表すフローチャートである。
【図７】図７は片面読取処理を表すフローチャートである。
【図８】図８は片面読取続行処理を表すフローチャートである。
【図９】図９は印刷処理を表すフローチャートである。
【発明を実施するための形態】
【００２４】
以下、本発明にかかる読取装置を具体化した実施の形態について、添付図面を参照しつつ詳細に説明する。本形態は、画像データに対する複数の機能を有する複合機（ＭＦＰ：Ｍｕｌｔｉ  Ｆｕｎｃｔｉｏｎ  Ｐｅｒｉｐｈｅｒａｌ）に本発明を適用したものである。
【００２５】
＜ＭＦＰの全体構成＞
実施の形態のＭＦＰ１００は、図１に示すように、用紙に画像を印刷する画像形成部１１０（印刷部（通知部）の一例）と、原稿の画像を読み取る画像読取部１とを備えている。尚、画像読取部１（又は後述するＡＤＦ２）の上面には、複数枚の原稿を載置可能な後述する原稿トレイ１４（給紙部の一例）及び、読取処理後の原稿が載置される後述する排紙トレイ２０（排紙部の一例）が設けられている。
【００２６】
また、画像読取部１の前面側には、液晶ディスプレイからなる表示部１４１と、ＯＫキー，キャンセルキー，テンキー等から構成されるボタン群１４２（選択部の一例）とを備えた操作パネル１４０が設けられ、この操作パネル１４０により動作状況の表示やユーザによる入力操作が可能になっている。
【００２７】
具体的に、本形態の操作パネル１４０のボタン群１４２には、複写開始キーや、設定キーや、操作キー等が含まれる。複写開始キーは、画像読取部１及び画像形成部１１０を動作させ、原稿上に形成されている画像を読み取り、読み取り生成した画像データによる印刷処理を開始するキーである。また、設定キーは後述する自動続行処理のための設定や各種設定をするためのキーである。操作キーは後述する手動続行処理のための操作を行うためのキーである。
【００２８】
＜画像読取部の構成＞
次に、画像読取部１の構成に関して説明する。図２は画像読取部１の構造を示す概略構成図である。図２に示すように、画像読取部１は、ＡＤＦ（Ａｕｔｏｍａｔｉｃ  Ｄｏｃｕｍｅｎｔ  Ｆｅｅｄｅｒ）２を載置して原稿固定モードと原稿搬送モードとを選択自在にする表面読取部３と、ＡＤＦ２に備えられる裏面読取部４とにより構成され、原稿搬送モードにおいては両面同時読取可能とされている。尚、表面読取部３及び裏面読取部４は、本発明の読取部に相当する。
【００２９】
まず、表面読取部３の構成について説明する。表面読取部３は、原稿が載置されるコン
タクトガラスＧを有しており、このコンタクトガラスＧに下方から対向する位置には、反射ミラー５と光源６とが搭載された第一走行体７が副走査方向Ａに移動自在に設けられている。第一走行体７の反射光路には、２個の反射ミラー８により光路を折り返す第二走行体９が副走査方向Ａに移動自在に設けられており、この第二走行体９の反射光路には、結像レンズ１０を介してＣＣＤ（Ｃｈａｒｇｅ  Ｃｏｕｐｌｅｄ  Ｄｅｖｉｃｅ）１１が備えられている。
【００３０】
第一走行体７と第二走行体９とには、ステッピングモータからなる走行体モータがプーリやワイヤなどにより連結されており、２対１の速度で同一の副走査方向Ａに移動自在とされている。このように２個の走行体７，９が移動することにより、コンタクトガラスＧに載置された原稿の読取画像がＣＣＤ１１により読取走査される。
【００３１】
このような表面読取部３による原稿の読取走査は、原稿固定モードであるブックモードの設定下で実行されるが、画像読取部１には、上述したブックモードの他に原稿搬送モードであるＡＤＦモードも動作モードとして、切替自在に設定されている。このＡＤＦモードの設定下では、図中右端に破線で図示するように、２個の走行体７，９をホームポジションなる表面停止読取位置１３にセットした状態でＡＤＦ２により原稿を順次搬送することにより、読取画像がＣＣＤ１１により読取走査される。
【００３２】
ＡＤＦ２は、原稿トレイ１４、ピックアップローラ１５、一対のレジストローラ１６、搬送ドラム１７、一対の搬送ローラ１８、一対の排紙ローラ１９等を有しており、表面停止読取位置１３を順次通過するように原稿を副走査方向Ａに順次搬送して排紙トレイ２０に排紙させる。この排紙トレイ２０は原稿圧板２１の上面に設けられており、この原稿圧板２１はコンタクトガラスＧに対して開閉自在とされている。
【００３３】
ＡＤＦ２のピックアップローラ１５とレジストローラ１６と搬送ドラム１７と搬送ローラ１８と排紙ローラ１９とには、ステッピングモータからなる給紙モータがギヤ列などにより連結されている。尚、ピックアップローラ１５、レジストローラ１６、搬送ドラム１７、搬送ローラ１８、排紙ローラ１９は本発明の搬送部に相当する。
【００３４】
次に、裏面読取部４の構成について説明する。裏面読取部４は、ＡＤＦ２の搬送ドラム１７より原稿搬送方向下流であって搬送ローラ１８の手前に設定された裏面読取位置２２において、密着型イメージセンサ２３と白色ローラ２４とを搬送経路を挾んで対向配置させることにより構成されている。ここに、密着型イメージセンサ２３は、ＣＣＤ１１側とは逆側の原稿面（裏面）の読み取りを行うもので、搬送経路上方側に下向きに設けられており、原稿面を照射するランプや等倍結像レンズアレイやセンサアレイを一体化して構成される等倍型の光電変換素子である。搬送経路を挾んで反対側に位置する白色ローラ２４は、密着型イメージセンサ２３による読取処理時のシェーディング補正用白色部材としても使用される。
【００３５】
また、搬送ドラム１７の近傍には、ＲＦＩＤリーダ２５が備えられている。ＲＦＩＤリーダ２５は、搬送されてきた原稿に付されているＲＦＩＤを読み取ることが可能である。尚、原稿に付されているＲＦＩＤに関しては後述にて説明する。
【００３６】
＜ＭＦＰの電気的構成＞
続いて、ＭＦＰ１００の電気的構成について説明する。ＭＦＰ１００は、図３に示すように、ＣＰＵ１３１（低減部の一例）と、ＲＯＭ１３２と、ＲＡＭ１３３（記憶部の一例）と、ＮＶＲＡＭ１３４と、ＡＳＩＣ１３５と、ＦＡＸインタフェース１３８とを備えた制御部１３０を有している。
【００３７】
ＣＰＵ１３１は、ＭＦＰ１００における読取処理，印刷処理等の各種処理を実現するための演算を実行し、制御の中枢となるものである。ＲＯＭ１３２には、ＭＦＰ１００を制御するための各種制御プログラムや各種設定，初期値等が記憶されている。ＲＡＭ１３３は、各種制御プログラムが読み出される作業領域として、あるいは画像データを一時的に記憶する記憶領域として利用される。ＮＶＲＡＭ（Ｎｏｎ  Ｖｏｌａｔｉｌｅ  ＲＡＭ）１３４は、不揮発性を有する記憶手段であって、後述する自動読取処理の設定や各種設定ないし画像データ等を保存する記憶領域として利用される。
【００３８】
ＣＰＵ１３１は、ＲＯＭ１３２から読出した制御プログラムや各種センサから送られる信号に従って、その処理結果をＲＡＭ１３３またはＮＶＲＡＭ１３４に記憶させながら、ＭＦＰ１００の各構成要素（例えば、画像形成部１１０を構成する露光装置の点灯タイミング、用紙の搬送路を構成する各種ローラの駆動モータ（不図示）等）を、ＡＳＩＣ１３５を介して制御する。
【００３９】
ＦＡＸインターフェース１３８は、電話回線に接続され、相手先のＦＡＸ装置との接続を可能にしており、ＦＡＸインターフェース１３８を介してデータのやりとりを行うことができる。
【００４０】
＜ＡＤＦモードにおける複写処理＞
ここで、上述したＡＤＦモードにおける複写処理を説明する。
【００４１】
複写処理とは、読取処理及び印刷処理がそれぞれ実行されることで、原稿の画像を異なる用紙に印刷し複写する処理である。
【００４２】
この複写処理の実行前には、予め読取処理の際の自動続行処理を実行するか否かの設定することが可能である。ユーザは、ボタン群１４２の中の設定キーを用いて、自動続行処理を実行すると設定することで、以下の読取処理にて搬送が遅延又は停止することなく、読取処理が実行可能である。また、複写処理の実行前に同様に設定キーにより両面読取又は片面読取の読取方法や、読取解像度等の読取設定、モノクロ印刷又はカラー印刷等の印刷設定を指示することも可能である。
【００４３】
また、この複写処理の両面読取処理にて読み取られる両面に画像が存在する両面原稿にはＲＦＩＤが付されている。このＲＦＩＤには、原稿のどちらの面の画像データを優先的に低減させるかを示した優先情報が記憶されており、その優先情報に基づいて両面読取処理が実行される。尚、この優先情報に基づき画像データを優先的に低減する面を優先面と呼称する。
【００４４】
＜読取処理＞
図４は、ＭＦＰ１００のＣＰＵ１３１が実行する読取処理を表すフローチャートである。図４を用いて、読取処理を説明する。尚、本処理はＣＰＵ１３１により短い時間間隔において定期的に処理される。
【００４５】
上述のように構成されたＭＦＰ１００のＣＰＵ１３１は、ＭＦＰ１００のボタン群１４２の中の複写開始キーが押されることで読取指示が指示されたと判断する（Ｓ１０１：Ｙｅｓ）。一方、読取指示が指示されていないと判断したら（Ｓ１０１：Ｎｏ）、当該読取処理は終了する。
【００４６】
読取処理が指示されると（Ｓ１０１：Ｙｅｓ）、次に指示された読取処理が両面読取処理であるか否かが判断される（Ｓ１０２）。
【００４７】
ここで、両面読取処理であると指示した場合は（Ｓ１０２：Ｙｅｓ）、原稿の両面を読み取る両面読取処理が実行され（Ｓ１０３）、両面読取指示ではない、即ち片面読取処理であると指示した場合（Ｓ１０２：Ｎｏ）、原稿の片面を読みとるか他面読み取り処理が実行される（Ｓ１０４）。尚、両面読取処理及び片面読取処理は後述にて説明する。
【００４８】
最後に、後述する読取続行処理（両面読取続行処理又は片面読取続行処理）が実行されたか否かを判断し（Ｓ１０５）、続行処理が実行されたと判断した場合は（Ｓ１０５：Ｙｅｓ）、後述するエラーデータ（通知情報の一例）を作成し（Ｓ１０６）、当該読取処理を終了する。一方、続行処理が実行されていないと判断した場合は（Ｓ１０５：Ｎｏ）、そのまま当該読取処理を終了する。
【００４９】
＜両面読取処理＞
次に図４のＳ１０３にて実行される両面読取処理について説明する。尚、図５は両面読取処理を表すフローチャートである。
【００５０】
図４のＳ１０３の処理が実行されると、予め指示された読取設定を読み込み（Ｓ２０１）、原稿トレイ１４上の最も上部に載置されている一枚分の原稿の、ピックアップローラ１５、一対のレジストローラ１６、搬送ドラム１７、一対の搬送ローラ１８、一対の排紙ローラ１９による搬送を開始する（Ｓ２０２）。次に、搬送される原稿のＲＦＩＤをＲＦＩＤリーダ２５にて読み取り、表面又は裏面のどちらの面が優先面であるかを判断する（Ｓ２０３）。
【００５１】
さらに原稿の搬送が進み、設定された読取設定に基づいて搬送及び表面読取部３及び裏面読取部４による読取が実行され、読み取られて生成された画像データをＲＡＭ１３３に記憶する（Ｓ２０４）。次に読み取り生成した両面の画像データを記憶するＲＡＭ１３３の空き容量が不足しているか否かを判断する（Ｓ２０５）。ここで、ＲＡＭ１３３の空き容量が不足していると判断した場合（Ｓ２０５：Ｙｅｓ）、両面読取続行処理が実行される（Ｓ２０６）。一方、ＲＡＭ１３３の空き容量が不足していないと判断した場合は（Ｓ２０５：Ｎｏ）、原稿の搬送が完了したか否かが判断される（Ｓ２０７）。尚、両面読取続行処理に関しては後述にて説明する。
【００５２】
そして、原稿の搬送が完了していないと判断した場合は（Ｓ２０７：Ｎｏ）、処理がＳ２０４に戻り、原稿の搬送が完了したと判断されると（Ｓ２０７：Ｙｅｓ）、生成した画像データに対する印刷指示が指示される（Ｓ２０８）。尚、この印刷指示において、画像形成部１１０による印刷が実行される。また、印刷処理は後述にて説明する。
【００５３】
印刷指示が指示されると（Ｓ２０８）、原稿トレイ１４上の全原稿の搬送が完了したか否かが判断される（Ｓ２０９）。即ち、原稿トレイ１４上に原稿がなくなったか否かが、周知のセンサにより判断される。ここで、全原稿の搬送が完了していないと判断した場合（Ｓ２０９：Ｎｏ）、処理がＳ２０１に戻り再度予め指示された読取設定が読み込まれ、以後の処理が上述のように実行される。一方、全原稿の搬送が完了したと判断した場合（Ｓ２０９：Ｙｅｓ）、当該両面読取処理が終了する。
【００５４】
＜両面読取続行処理＞
次に図５のＳ２０６にて実行される両面読取続行処理について説明する。尚、図６は両面読取続行処理を表すフローチャートである。
【００５５】
図５のＳ２０６の処理が実行されると、自動続行処理が設定されているか否かが判断される（Ｓ３０１）。予め自動続行処理が設定されていると判断した場合（Ｓ３０１：Ｙｅｓ）、Ｓ３０２からＳ３０４にて、現在の読取設定がどの読取設定であるか判断する。即
ち、Ｓ３０２にて低解像度片面読取設定であるか判断し、Ｓ３０３にて標準片面読取設定であるか判断し、Ｓ３０４にて低解像度両面読取設定であるか判断する。
【００５６】
まず、読取設定が予め指示された読取設定であると判断した場合（Ｓ３０２：Ｎｏ，Ｓ３０３：Ｎｏ，Ｓ３０４：Ｎｏ）、ＲＦＩＤに記憶されている優先情報に基づいて図５のＳ２０３の処理にて判断された優先面に対して、ＲＡＭ１３３に記憶されているこれまでに読み取った優先面の画像データの解像度を低減し、表面読取部３又は裏面読取部４により優先面を低解像度にて読み取るように読取設定を低解像度両面読取設定に変更し（Ｓ３０５）、当該両面読取続行処理を終了する。
【００５７】
また、読取設定が低解像度両面読取設定であると判断した場合（Ｓ３０２：Ｎｏ，Ｓ３０３：Ｎｏ，Ｓ３０４：Ｙｅｓ）、優先面に対して、ＲＡＭ１３３に記憶されているこれまでに読み取った優先面の画像データを消去し、表面読取部３又は裏面読取部４による優先面の読取を停止するように読取設定を標準片面読取設定に変更し（Ｓ３０６）、当該両面読取続行処理を終了する。尚、この時、表面読取部３又は裏面読取部４による読取が停止するだけで、原稿の搬送は続行する。
【００５８】
さらに、読取設定が標準片面読取設定であると判断した場合（Ｓ３０２：Ｎｏ，Ｓ３０３：Ｙｅｓ）、優先面とは逆の面である非優先面に対して、ＲＡＭ１３３に記憶されているこれまでに読み取った非優先面の画像データの解像度を低減し、表面読取部３又は裏面読取部４により非優先面を低解像度にて読み取るように読取設定を低解像度片面読取設定に変更し（Ｓ３０７）、当該両面読取続行処理を終了する。
【００５９】
また、読取設定が低解像度片面読取設定であると判断した場合（Ｓ３０２：Ｙｅｓ）、非優先面に対して、ＲＡＭ１３３に記憶されているこれまでに読み取った非優先面の画像データを消去し、表面読取部３又は裏面読取部４による非優先面の読取を停止するように読取設定を読取停止設定に変更し（Ｓ３０８）、当該両面読取続行処理を終了する。尚、この時、表面読取部３又は裏面読取部４による読取が停止するだけで、原稿の搬送は続行する。即ち、原稿を読み取らずに搬送をする。
【００６０】
一方、Ｓ３０１にて予め自動続行処理が設定されていないと判断した（Ｓ３０１：Ｎｏ）、自動続行処理は実行されず手動続行処理が実行される（Ｓ３０９）。手動続行処理では、ユーザにより、ボタン群１４２の中の操作キーを操作し、原稿の一方の面又は両面の読み取り解像度を落とすか、又は一方の面又は両面の読み取りを停止するかを選択し読取設定を変更することが可能である。
【００６１】
以上、両面読取処理及び両面読取続行処理にて説明したように、図５のＳ２０４からＳ２０７の処理において、一枚の原稿の搬送及び読み取り時におけるＲＡＭ１３３の空き容量の不足を判断し、空き容量不足の場合はＳ２０６において、両面読取続行処理が実行される。そして、両面読取続行処理により、ＲＡＭ１３３の空き容量が不足していても両面読取処理を続行可能である。
【００６２】
また、図６のＳ３０１にて自動続行処理が指示されている場合は（Ｓ３０１：Ｙｅｓ）、図５のＳ２０５にて読み取り生成した両面の画像データを記憶するＲＡＭ１３３の空き容量が不足していると判断する毎に（Ｓ２０５：Ｙｅｓ）、読取設定が低解像度両面読取設定、標準片面読取設定、低解像度片面読取設定、読取停止設定の順に変更される。即ち、読み取り設定が変更される毎に生成される画像データのデータ量が低減されていくため、ＲＡＭ１３３の空き空き容量が不足していたとしても、読取処理を続行し続けることが可能である。
【００６３】
さらに、図５のＳ２０９にて全原稿の搬送が完了していないと判断した場合（Ｓ２０９：Ｎｏ）、処理が図５のＳ２０１に戻り再度予め指示された読取設定が読み込まれるため、一枚の原稿を搬送中にＲＡＭ１３３の空き容量が増加したら元々指示していた読取設定にて両面読取処理を続行することが可能である。
【００６４】
また、図６に示した両面読取続行処理が実行された場合、画像データを低減した又は画像データを消去した原稿面に対してエラーフラグを立てておく。このエラーフラグによって、図４のＳ１０６の処理にて、対象の原稿面に対して画像データを低減した又は画像データを消去したことを示すエラーデータを作成する。このエラー情報は、例えば、何枚目に搬送された原稿であるかを示す番号情報や、原稿の裏であるか表であるかを示す裏表情報等である。
【００６５】
尚、両面続行処理におけるＳ３０５，Ｓ３０７の処理では、表面読取部又は裏面読取部により読取面を低解像度にて読み取るように読取設定を変更するとともに、これまでに読み取った読取面の画像データの解像度も低減している。この様に処理することで、同じ原稿を読み取る過程において、生成された原稿データの解像度が途中から変化しない。また、後述する片面続行処理における図８のＳ５０５の処理も同様である。
【００６６】
＜片面読取処理＞
次に図４のＳ１０４にて実行される片面読取処理について説明する。尚、図７は片面読取処理を表すフローチャートである。尚、両面読取処理と説明が共通する部分は、説明を省略する。
【００６７】
図４のＳ１０４の処理が実行されると、両面読取処理と同様に、予め指示された読取設定を読み込み（Ｓ２０１）、一枚分の原稿の搬送を開始する（Ｓ２０２）。
【００６８】
原稿の搬送が進み、設定された読取設定に基づいて搬送及び表面読取部３による読取が実行され、読み取られて生成された画像データをＲＡＭ１３３に記憶する（Ｓ２０４）。次に読み取り生成した片面の画像データを記憶するＲＡＭ１３３の空き容量が不足しているか否かを判断する（Ｓ２０５）。ここで、ＲＡＭ１３３の空き容量が不足していると判断した場合（Ｓ２０５：Ｙｅｓ）、片面読取続行処理が実行される（Ｓ４０６）。
【００６９】
一方、ＲＡＭ１３３の空き容量が不足していないと判断した場合は（Ｓ２０５：Ｎｏ）、両面読取処理と同様に原稿の搬送が完了したか否かが判断され（Ｓ２０７）、生成した画像データに対する印刷指示が指示され（Ｓ２０８）、全原稿の搬送が完了したか否かが判断されれる（Ｓ２０９）。そして、全原稿の搬送が完了したと判断した場合（Ｓ２０９：Ｙｅｓ）、当該片面読取処理が終了する。尚、片面読取続行処理に関しては後述にて説明する。
【００７０】
＜片面読取続行処理＞
次に図７のＳ４０６にて実行される片面読取続行処理について説明する。尚、図８は片面読取続行処理を表すフローチャートである。尚、両面読取続行処理と説明が共通する部分は、説明を省略する。
【００７１】
図７のＳ４０６の処理が実行されると、両面読取続行処理と同様に自動続行処理が設定されているか否かが判断される（Ｓ３０１）。予め自動続行処理が設定されていると判断した場合（Ｓ３０１：Ｙｅｓ）、Ｓ３０２にて、現在の読取設定が低解像度片面読取設定であるか否か判断する。
【００７２】
読取設定が予め指示された読取設定であると判断した場合（Ｓ３０２：Ｎｏ）、読取面
に対して、ＲＡＭ１３３に記憶されているこれまでに読み取った読取面の画像データの解像度を低減し、表面読取部３により読取面を低解像度にて読み取るように読取設定を低解像度片面読取設定に変更し（Ｓ５０５）、当該片面読取続行処理を終了する。
【００７３】
また、読取設定が低解像度片面読取設定であると判断した場合（Ｓ３０２：Ｙｅｓ）、読取面に対して、ＲＡＭ１３３に記憶されているこれまでに読み取った読取面の画像データを消去し、表面読取部３による読取面の読取を停止するように読取設定を読取停止設定に変更し（Ｓ５０８）、当該片面読取続行処理を終了する。尚、この時、表面読取部３による読取が停止するだけで、原稿の搬送は続行する。即ち、原稿を読み取らずに搬送をする。
【００７４】
以上、片面読取処理及び片面読取続行処理にて説明したように、図７のＳ２０４，Ｓ２０５，Ｓ４０６，Ｓ２０７の処理において、一枚の原稿の搬送及び読み取り時におけるＲＡＭ１３３の空き容量の不足を判断し、空き容量不足の場合はＳ４０６において、片面読取続行処理が実行される。そして、片面読取続行処理により、ＲＡＭ１３３の空き容量が不足していても片面読取処理を続行可能である。
【００７５】
また、図８のＳ３０１にて自動続行処理が指示されている場合は（Ｓ３０１：Ｙｅｓ）、図７のＳ２０５にて読み取り生成し片面の画像データを記憶するＲＡＭ１３３の空き容量が不足していると判断する毎に（Ｓ２０５：Ｙｅｓ）、読取設定が低解像度片面読取設定、読取停止設定の順に変更される。即ち、読み取り設定が変更される毎に生成される画像データのデータ量が低減されていくため、ＲＡＭ１３３の空き空き容量が不足していたとしても、読取処理を続行し続けることが可能である。
【００７６】
さらに、図７のＳ２０９にて全原稿の搬送が完了していないと判断した場合（Ｓ２０９：Ｎｏ）、処理が図５のＳ２０１に戻り再度予め指示された読取設定が読み込まれるため、一枚の原稿を搬送中にＲＡＭ１３３の空き容量が増加したら元々指示していた読取設定にて片面読取処理を続行することが可能である。
【００７７】
また、図８に示した片面読取続行処理が実行された場合、画像データを低減した又は画像データを消去した原稿面に対してエラーフラグを立てておく。このエラーフラグによって、図４のＳ１０６の処理にて、対象の原稿面に対して画像データを低減した又は画像データを消去したことを示すエラーデータを作成する。
【００７８】
＜印刷処理＞
図９は、ＭＦＰ１００のＣＰＵ１３１が実行する印刷処理を表すフローチャートである。図９を用いて、印刷処理を説明する。尚、本処理はＣＰＵ１３１により短い時間間隔において定期的に処理される。
【００７９】
上述のように構成されたＭＦＰ１００のＣＰＵ１３１は、図５及び図７におけるＳ２０９による処理により印刷指示が実行されたと判断する（Ｓ６０１：Ｙｅｓ）。一方、印刷指示が指示されていないと判断したら（Ｓ６０１：Ｎｏ）、当該印刷処理は終了する。
【００８０】
印刷指示が指示された場合（Ｓ６０１：Ｙｅｓ）、印刷用紙一枚分の画像データを画像形成部１１０により印刷用紙に印刷し（Ｓ６０２）、印刷が終了したことに応じて印刷対象であった画像データをＲＡＭ１３３から消去する（Ｓ６０３）。
【００８１】
その後、ＲＡＭ１３３内の全画像データを印刷完了したか否かを判断する（Ｓ６０４）、ＲＡＭ１３３内の全画像データが印刷完了していないと判断した場合（Ｓ６０４：Ｎｏ）、処理がＳ６０２に戻り、Ｓ６０２からＳ６０４の処理がＲＡＭ１３３内の全画像デー
タが印刷完了するまで繰り返される。
【００８２】
ＲＡＭ１３３内の全画像データが印刷完了したと判断した場合（Ｓ６０４：Ｙｅｓ）、読取処理において図４のＳ１０６にて作成されたエラーデータが存在するか否かが判断される（Ｓ６０５）。ここで、エラーデータが存在すると判断した場合（Ｓ６０５：Ｙｅｓ）、画像形成部１１０にてエラーデータを印刷し（Ｓ６０６）、当該印刷処理が終了する。一方、エラーデータが存在しないと判断した場合（Ｓ６０５：Ｎｏ）、そのまま当該印刷処理が終了する。
【００８３】
尚、本実施の形態の場合は、両面読取処理に対しては両面印刷処理を、片面読取処理に対しては片面印刷処理を、それぞれ実行する。
【００８４】
以上、印刷処理にて説明したように、印刷用紙にエラーデータが印刷されるため、ユーザは画像データを低減した原稿面を印刷された印刷用紙にて確認することが可能である。従って、ユーザにより通知情報を確認する前にエラーデータが消去される可能性が低くなるため、ユーザはエラーデータを把握しやすくなる。
【００８５】
尚、複写処理における読取処理と印刷処理はそれぞれが独立して実行される処理である。よって、画像データは、読取処理における図５及び図７のＳ２０４の処理にてＲＡＭ１３３に記憶され、印刷処理における図９のＳ６０３の処理にてＲＡＭ１３３から消去される。この様に、複写処理にて読取処理と印刷処理とが独立して実行される場合、ＲＡＭ１３３内の空き容量は複写処理中のその時々で変化する。
【００８６】
よって、読取処理における図５及び図７のＳ２０１にて、原稿一枚が搬送される毎に予め指示された読取設定が読み込まれるため、一枚の原稿を搬送中に印刷処理における図９のＳ６０３にてＲＡＭ１３３の空き容量が増加したら、元々指示していた読取設定にて読取処理を続行することが可能である。
【００８７】
以上、説明したように、本実施の形態のＭＦＰ１００は、ＲＡＭ１３３の空き容量に応じて読取設定を変更することで、空き容量が不足する場合であっても搬送が続行されるため、読取処理が終了するまでの時間が長くなることない。従って、特に大量の原稿を読取処理する場合、その大量の原稿によって画像読取部１の占有される時間が長くなることを防ぐことが可能である。
【００８８】
尚、本実施の形態は単なる例示にすぎず、本発明を何ら限定するものではない。従って本発明は当然に、その要旨を逸脱しない範囲内で種々の改良、変形が可能である。例えば、複合機（ＭＦＰ）に限らず、コピー機、スキャナ、ＦＡＸ装置等であっても、原稿を読み取る機能を備える機器であれば適用可能である。
【００８９】
また、実施の形態では、複写処理にて本発明を説明したが、それに限るものではない。例えば、ＦＡＸ送信処理や、読み取った画像データをＰＣへ送信するＳｃａｎ  ｔｏ  ＰＣなどの処理においても同様に適用可能である。
【００９０】
また、実施の形態では、印刷処理の際に両面原稿に対しては両面印刷を、片面原稿に対しては片面印刷を実行していたが、それに限らず、例えば、両面原稿に対しては片面印刷を、片面原稿に対しては両面印刷を実行しても可能であっても良い。
【００９１】
また、実施の形態では、両面同時読取が可能な読取部を二つ備えたＭＦＰを例に説明しているが、それに限らず、例えば、読取部が一つで原稿を反転させることで反転両面読取が可能な装置や、片面のみを読み取る装置であっても良い。
【００９２】
また、実施の形態では、ＲＦＩＤリーダを備えたＭＦＰを例に説明しているが、優先情報を読み取る方法はそれに限らず、例えば、バーコードを読み取る方法や周知のＯＣＲ技術を用いて画像を読み取る方法などであっても良い。また、両面読取続行処理における自動続行処理では、予め表面又は裏面のいずれか一方を優先面として設定しておいても良い。
【００９３】
また、実施の形態では、エラーデータをユーザに通知するために画像形成部にて印刷用紙に印刷していたが、エラーデータの通知方法はそれに限らず、例えば、表示部等にエラーデータを表示しても良い。
【００９４】
また、実施の形態では、読取続行処理において画像データによるＲＡＭの圧迫を防ぐように読取設定を変更する処理を段階的に実行しているが、これはさらに細かく読取処理を段階的に変更しても良いし、逆にこの様な段階を作らずに読取処理を変更しても良い。
【００９５】
また、実施の形態では、続行処理における図６のＳ３０５，Ｓ３０７及び図８のＳ５０５において、表面読取部又は裏面読取部により読取面を低解像度にて読み取るように読取設定を変更するとともに、これまでに読み取った読取面の画像データの解像度も低減している。これは、同じ原稿を読み取る過程において、生成された原稿データの解像度が途中から変化しないようにこの様に処理している。
【００９６】
また、実施の形態では、画像データの解像度や読取部による読取解像度を変更することで、画像データによるＲＡＭの圧迫を防ぐようにしているが、これに限らず、画像データの圧縮形式を変更することでＲＡＭの圧迫を防ぐ構成であっても良い。
【００９７】
また、実施の形態では、両面読取続行処理において、読取設定を片面ずつ変更する処理を実行しているが、両面とも同じ読取解像度に設定するなど両面同じ読取設定に変更するようにしても良い。
【００９８】
また、実施の形態では、読取処理において画像データに対してＲＡＭの空き容量が不足している場合に、読取続行処理を実行しているが、これに限らず、例えば、ＲＡＭの空き容量が予め定める所定値になることで読取続行処理を実行しても良い。
【符号の説明】
【００９９】
１    画像読取部
２    ＡＤＦ
３    表面読取部
４    裏面読取部
７    
１４    原稿トレイ
１５    ピックアップローラ
１６    レジストローラ
１７    搬送ドラム
１８    搬送ローラ
１９    排紙ローラ
２０    排紙トレイ
２５    ＲＦＩＤリーダ
１００    ＭＦＰ
１１０    画像形成部
１３０    制御部
１３１    ＣＰＵ
１３３    ＲＡＭ
１４０    操作パネル
１４１    表示部
１４２    ボタン群
【図１】
2010232770.tif 000003
【図２】
2010232770.tif 000004
【図３】
2010232770.tif 000005
【図４】
2010232770.tif 000006
【図５】
2010232770.tif 000007
【図６】
2010232770.tif 000008
【図７】
2010232770.tif 000009
【図８】
2010232770.tif 000010
【図９】
2010232770.tif 000011